(57)【特許請求の範囲】
【請求項１】
ケース（１）に開設した孔（２ａ）から突出させたピン（２１ａ）を、バネ（２３）によってケース（１）外へ付勢してなるプッシュスイッチ（２０）と、警報器（１３）とを備え、前記プッシュスイッチ（２０）の開閉に基づいて前記警報器（１３）を作動するようになしてある盗難防止タグにおいて、
前記ピン（２１ａ）は長手方向中間部に溝部（２１ｂ）を有しており、前記ケース（１）に摺動可能に取り付けられ、摺動に応じて前記溝部（２１ｂ）に係合すべくなしてある係合部材（６）を備え、該係合部材（６）が前記溝部（２１ｂ）に係合しているときに、前記ピン（２１ａ）のケース（１）内への進入を防止すべくなしてあることを特徴とする盗難防止タグ。
【請求項２】
前記ケース（１）は、前記孔（２ａ）を有する凹部（２ｂ）を具備し、該凹部（２ｂ）の両側縁部には内側に突出する鍔部が設けられており、前記係合部材（６）は、孔（６ａ）と、該孔（６ａ）に連設され、該孔（６ａ）より幅が小さい切欠（６ｂ）とを有する板状をなし、両側部が前記鍔部に係合する状態で前記凹部（２ｂ）に摺動可能に取り付けられていることを特徴とする請求項１記載の盗難防止タグ。
【発明の詳細な説明】
【０００１】
【発明の属する技術分野】
本発明は、衣料品及び履物等の対象物に取り付けられ、対象物の盗難を防止すべく自ら警報を発する自鳴式の盗難防止タグに関する。
【０００２】
【従来の技術】
図８及び図９は、従来の自鳴式の盗難防止タグの使用状態を説明する説明図であり、両図中、ＴＧは短冊状の盗難防止タグ（以後、単にタグともいう）である。タグＴＧの正面には、常閉接点であるプッシュスイッチのピン４２が突設されており、タグＴＧは、その正面を箱及びケース等の盗難防止対象物Ｔの一面に対向させてそれに当接させることによって、前記ピン４２をタグＴＧ内へ押し込んで開路し、その状態で、粘着テープ，両面テープ又は合成樹脂製ラップ等の取り付け材によって盗難防止対象物Ｔに取り付けてある。
【０００３】
タグＴＧは、送信器から送信される信号を受信するアンテナ、ブザー及びバッテリ等を内蔵している。送信器は、タグＴＧが受信し得る強度の盗難防止信号を所定の領域内へ送信するようになしてあり、出入口に設置したゲートに送信器を配設しておく。タグＴＧを取り付けた盗難防止対象物Ｔがゲートに接近して、タグＴＧが送信器から送信された盗難防止信号を受信した場合、タグＴＧはブザーを作動させて警報音を発し、盗難防止対象物Ｔの盗難を防止する。
【０００４】
また、取り付け材を取り除いてタグＴＧを盗難防止対象物Ｔから取り外した場合、ピン４２が突出して閉路するため、タグＴＧはそれを検出し、ブザーを作動させて警報音を発する。
【０００５】
また、タグＴＧが、前記盗難防止信号とは異なるリセット信号を受信したときには、タグＴＧが盗難防止信号を受信した場合又はピン４２が突出した場合であっても、ブザーを作動させない休止状態へ移行するようになっている。そして、休止状態のタグＴＧを盗難防止対象物Ｔに取り付けた場合には、ピン４２が押下されてから所定時間経過後に、タグＴＧが休止状態からブザーを作動させることが可能な作動状態へ移行するようになっている。
【０００６】
このようなタグＴＧは、例えば搬送時にブザーが作動しないように、ピン４２の状態の如何に拘わらず、ブザーが作動しないようにする必要がある。そこで、タグＴＧの盗難防止対象物Ｔに対する取り付け面に、この面から突出しない状態で、摺動可能なスライドボタンスイッチを設け、このスライドボタンスイッチを操作することによって、ブザーが作動可能な状態及び作動不能な状態の切り換えを行うことができるようにした盗難防止タグが提案されている。
【０００７】
【発明が解決しようとする課題】
しかしながら、上述の如き従来の盗難防止タグにあっては、収納時又は搬送時等に、振動によって休止状態の盗難防止タグのピンが押下され、作動状態へ移行することにより、ブザーが作動することを防止するために、ピンを挿入するための凹部が設けられた専用の収納ケースを用意する必要があり、またこの専用の収納ケースに盗難防止タグを収納するときに、凹部にピンを挿入した状態で収納する必要があり、この作業に多くの手間を要するという問題があった。
【０００８】
また、スライドボタンスイッチが設けてある従来の盗難防止タグにあっては、盗難防止対象物に盗難防止タグを取り付ける場合に、盗難防止タグのスライドボタンスイッチを閉路させ、ブザーが作動可能な状態にする必要があるが、ユーザがスライドボタンスイッチを操作して閉路させることを忘れることが多いという問題があった。
【０００９】
本発明はかかる事情に鑑みてなされたものであって、ピンの長手方向中間部に溝部を設け、この溝部に係合可能な係合部材を、盗難防止タグのケースに摺動可能に取り付け、この係合部材を摺動してピンの溝部に係合部材を係合させることによって、ピンの盗難防止タグ内部への進入を防止するため、ピンの移動を防止するための専用の形状の収納ケースを用意する必要がなく、収納ケースの形状に合わせて盗難防止タグを収納する手間を削減した盗難防止タグを提供することを目的とする。
【００１０】
本発明の他の目的は、係合部材をピンの溝部に係合させて、突出状態でピンを保持することにより、盗難防止タグを盗難防止対象物へ取り付ける場合に、係合部材をピンの溝部に係合させた状態の盗難防止タグでは、盗難防止対象物に盗難防止タグの取り付け面が密着しないため、ユーザが係合部材を溝部に係合させた状態の盗難防止タグと係合部材を溝部に係合させていない状態の盗難防止タグとを容易に判別することができ、係合部材と溝部との係合の解除を忘れることを防止する盗難防止タグを提供することにある。
【００１１】
本発明の更に他の目的は、ケースにピンを入出するための孔を有する凹部を設け、この凹部の両側縁部に内側に突出する鍔部を設けて、孔及びこの孔に連設された切欠を有する板状の係合部材の両側部を前記鍔部に係合させる状態で、係合部材を凹部に摺動可能に取り付けることによって、ピンがケースの孔及び係合部材の孔を貫通する状態としたときには、ピンをケースに入出させることができ、この状態から係合部材を鍔部に沿って摺動させたときには、ピンの溝部に係合部材の切欠が係合し、ケースから突出した状態でピンを保持することができる盗難防止タグを提供することにある。
【００１２】
【課題を解決するための手段】
第１発明に係る盗難防止タグは、ケースに開設した孔から突出させたピンを、バネによってケース外へ付勢してなるプッシュスイッチと、警報器とを備え、前記プッシュスイッチの開閉に基づいて前記警報器を作動するようになしてある盗難防止タグにおいて、前記ピンは長手方向中間部に溝部を有しており、前記ケースに摺動可能に取り付けられ、摺動に応じて前記溝部に係合すべくなしてある係合部材を備え、該係合部材が前記溝部に係合しているときに、前記ピンのケース内への進入を防止すべくなしてあることを特徴とする。
【００１３】
第１発明に係る盗難防止タグによる場合は、係合部材をケースに対して摺動させることにより、係合部材とピンの溝部との係合及び解除を切り換えることができる。係合部材と溝部とが係合していない場合には、ピンをケース内部に進入させることができ、係合部材と溝部とが係合している場合には、ピンをケース内部に進入させることができない。従って、休止状態の盗難防止タグの係合部材と溝部とを係合させることにより、ピンがケースから突出した状態を保持し、ピンがケース内部に進入して作動状態へ移行することを防止するため、専用の収納ケースとは異なる収納ケースに複数の盗難防止タグを収納した場合であっても、ピンが盗難防止タグ内部に進入せず、従って専用の収納ケースを用意する必要がなく、収納ケースの形状に合わせて盗難防止タグを収納する手間を削減することができる。
【００１４】
また、係合部材とピンの溝部とを係合させて、ピンがケースから突出した状態を保持することにより、係合部材を溝部に係合させた状態の盗難防止タグでは、盗難防止タグを盗難防止対象物へ取り付ける場合に、盗難防止対象物にケースの取り付け面が密着しないため、ユーザが係合部材を溝部に係合させた状態の盗難防止タグと係合部材を溝部に係合させていない状態の盗難防止タグとを容易に判別することができ、係合部材と溝部との係合の解除を忘れることを防止することができる。
【００１５】
第２発明に係る盗難防止タグは、第１発明に係る盗難防止タグにおいて、前記ケースは、前記孔を有する凹部を具備し、該凹部の両側縁部には内側に突出する鍔部が設けられており、前記係合部材は、孔と、該孔に連設され、該孔より幅が小さい切欠とを有する板状をなし、両側部が前記鍔部に係合する状態で前記凹部に摺動可能に取り付けられていることを特徴とする。
【００１６】
第２発明に係る盗難防止タグによる場合は、係合部材の両側部が鍔部に係合する状態で、係合部材を凹部に摺動可能に取り付けていることにより、凹部の開口側から係合部材が脱落することを防止しつつ、鍔部に沿って係合部材を摺動させることができる。ピンがケースの孔及び係合部材の孔を貫通する状態とすることによって、ピンをケースに入出可能な状態とすることができ、この状態から係合部材を摺動させたとき、ピンの溝部に係合部材の切欠が係合し、ピンがケース内に進入することができない状態とすることができる。従って、ピンの溝部と係合部材の切欠とを係合させたときには、盗難防止タグの盗難防止対象物に当接する面からピンが所定量突出した状態を保持することができる。
【００１７】
【発明の実施の形態】
実施の形態１．
以下、本発明の実施の形態を図面に基づいて具体的に説明する。
図１は本発明に係る盗難防止タグの実施の形態１の構成を示す外観斜視図であり、図２は図１に示した盗難防止タグの分解斜視図である。短冊状のケース１は、一対の正面側ケース部材２及び背面側ケース部材３を超音波接合することによって形成してある。正面側ケース部材２及び背面側ケース部材３内には、プリント配線した基板１０、プッシュスイッチ２０及びボタン電池５が格納されている。
【００１８】
ブザー１３は、ボタン電池５と略同一の直径の円盤状をなしており、ブザー１３とボタン電池５とは、これらの間に、これらと略同一直径の円環状のスペーサ１５を介在させた状態で、円形のカバー部材４に内嵌してある。また、カバー部材４には、ボタン電池５の正極に当接する正極端子５ａと、ブザー１３の電極に当接するブザー用端子１３ａとが取り付けられている。また、ボタン電池５の負極には、これと略同一の直径であり、その円周方向の一部に突出部を有する円盤状の負極端子５ｂが配されている。そして、ボタン電池５の負極側を正面側に、正極側を背面側に配した状態で、正面側ケース部材２及び背面側ケース部材３内に、カバー部材４、ブザー１３、ブザー用端子１３ａ、スペーサ１５、ボタン電池５、正極端子５ａ、及び負極端子５ｂが、一体的に収納されている。
【００１９】
基板１０の背面には、所定周波数の盗難防止信号及びこれとは異なる周波数のリセット信号を受信するための受信機１２、及び受信機１２が受信した盗難防止信号及びプッシュスイッチ２０の開閉に基づいて、ブザー１３による警報音の発生を制御するＩＣ１１等が実装してある。また、基板１０には、プッシュスイッチ２０と接続する接点１４，１４等が設けてあり、前記ブザー用端子１３ａ、正極端子５ａ、及び負極端子５ｂが接続されている。
【００２０】
図３は、プッシュスイッチ２０の構成を示す断面図である。プッシュスイッチ２０は、スイッチボタン２１、スイッチ金具２２、及びコイルバネ２３で構成されている。スイッチボタン２１は、正面視長方形状の四角板の正面に、六角柱状のピン２１ａが立設されており、背面に四角形状の係合部２１ｃを有する形状をなしている。
【００２１】
スイッチ金具２２は、円盤状の部材の外周部に４等配された板状のガイド部材２２ａ，２２ａ，２２ａ，２２ａが背面側へ延設された形状をなしており、円盤の中央部には、スイッチボタン２１の係合部２１ｃに係合する四角孔２２ｂが設けられている。また、この四角孔２２ｂの外側の対向する２つの位置には、夫々正面側に所定角度で屈曲せしめられた屈曲部２２ｃ，２２ｃが設けられている（図２参照）。
【００２２】
コイルバネ２３は、スイッチ金具２２の円盤の直径より少し小さい直径のコイルバネであり、スイッチ金具２２の４つのガイド部材２２ａ，２２ａ，２２ａ，２２ａで囲まれた内側に内嵌された状態で配されている。コイルバネ２３の一端はスイッチ金具２２の円盤の背面側に当接し、他端は背面側ケース部材３の内面に設けられたコイルバネ２３の内径より若干小さい直径の円柱状の突出部に外嵌する状態で、背面側ケース部材３の内面に当接している。
【００２３】
また、正面側ケース部材２の内面には、円柱状の突出部２ｄが設けられており、この突出部２ｄの中央に、六角孔２ａが設けられている。基板１０には、前記突出部２ｄより大きい円形の孔１０ａが設けられており、基板１０は、この孔１０ａが突出部２ｄに内嵌された状態で配されている。スイッチボタン２１のピン２１ａは、六角孔２ａを貫通して、正面側ケース部材２の外側へ突出している。ピン２１ａの長手方向中間部には、対向する２つの三角形の部分を切り欠いた状態の溝部２１ｂが設けられている。
【００２４】
図１及び図２に示すように、正面側ケース部材２の正面の六角孔２ａ近傍から、正面短辺側の端部までの部分には、正面側ケース部材２の長手方向に長く、六角孔２ａ側の端部が丸みを帯びた長方形状をなす凹部２ｂが設けられている。また、この凹部２ｂの両側部には、内側に突出した鍔部が設けられている。そして、この凹部２ｂの形状に倣って一端が丸みを帯びた長方形状をなし、その正面両側端部に長手方向全長に亘って他の部分より低いガイド部が設けられているロックプレート６が、ガイド部を前記鍔部に係合させた状態で、凹部２ｂに摺動可能に取り付けられている。また、ロックプレート６の背面には、２つの円柱状の突出部６ｃ，６ｃが適宜離隔された状態で、摺動方向に並設されており、ロックプレート６が凹部２ｂに取り付けられたとき、突出部６ｃ，６ｃは、正面側ケース部材２に設けられた前記摺動方向に長いスロット状の切欠２ｃに挿入される。切欠２ｃの長手方向中央部には、半円状の突出片２ｅが設けられており、ロックプレート６を摺動するとき、一方の突出部６ｃがこの突出片２ｅを乗り越えることができるようになっている。また、ロックプレート６の前記六角孔２ａに対応する位置には、この六角孔２ａと略同寸の六角孔６ａが設けられており、六角孔６ａから、丸みを帯びた端部側には、六角孔６ａの一辺を短辺とした長方形状の切欠６ｂが延設されている。
【００２５】
また、図３に示すように、スイッチボタン２１がコイルバネ２３の力によって、正面側ケース部材２の外側に突出した状態のときに、スイッチボタン２１の溝部２１ｂは、正面側ケース部材２の凹部２ｂの表面から少し外側に位置している。
【００２６】
図４は、プッシュスイッチ２０の動作を説明する断面図である。図４（ａ）に示すように、スイッチボタン２１の先端が押圧されていない場合、コイルバネ２３によって、スイッチボタン２１及びスイッチ金具２２が正面側へ付勢され、スイッチボタン２１の四角板が、正面側ケース部材２の突出部２ｄに当接する位置で、スイッチボタン２１及びスイッチ金具２２が保持される。このとき、スイッチ金具２２の屈曲部２２ｃ，２２ｃが、基板１０の接点１４，１４と当接しており、プッシュスイッチ２０が閉路状態となっている。また、スイッチボタン２１のピン２１ａの溝部２１ｂがロックプレート６と同じ位置に位置しており、ロックプレート６の正面から、ピン２１ａの溝部２１ｂより正面側の部分が突出している。
【００２７】
この状態から、スイッチボタン２１の先端が押圧されたとき、図４（ｂ）に示すように、コイルバネ２３が圧縮され、スイッチボタン２１及びスイッチ金具２２が、スイッチボタン２１の先端がロックプレート６の正面と同じ位置に位置する状態になるまで、背面側へ移動せしめられる。このとき、スイッチ金具２２の屈曲部２２ｃ，２２ｃは、基板１０の接点１４，１４から離隔し、プッシュスイッチ２０が開路状態となる。
【００２８】
図５はロックプレート６の操作を説明する正面図であり、図６はロックプレート６の操作を説明する断面図である。図５（ａ）及び図６（ａ）に示すように、ピン２１ａの先端がロックプレート６の表面から突出した状態で、ロックプレート６の六角孔６ａにピン２１ａが貫通されているとき、ピン２１ａは背面側に移動可能である。この状態から、図５（ｂ）及び図６（ｂ）に示すように、ロックプレート６を摺動させたとき、ロックプレート６の切欠６ｂが、ピン２１ａの溝部２１ｂに係合し、ピン２１ａの移動が規制される。
【００２９】
なお、六角柱状をなすピン２１ａを備える構成としたが、ピン２１ａの形状は六角柱状に限らず、例えば円柱状のピン２１ａを備え、正面側ケース部材２及びロックプレート６に設けられた六角孔２ａ及び六角孔６ａの代わりに、正面側ケース部材２及びロックプレート６に、ピン２１ａの形状に合わせて円形の孔を設けた構成としてもよい。
【００３０】
以上の如き構成により、ロックプレート６を摺動して、溝部２１ｂと切欠６ｂとの係合及び解除を切り換えることができ、係合が解除されているときには、ピン２１ａを正面側ケース部材２の内側に進入させることができ、係合されているときには、ピン２１ａが正面側ケース部材２から突出した状態を保持し、ピン２１ａが正面側ケース部材２の内側に進入することを防止することができる。
【００３１】
実施の形態２．
図７は本発明に係る盗難防止タグの実施の形態２の構成を示す外観斜視図である。図に示すように、スイッチボタン２１のピン２１ａの先端部に、円盤状の当接部材が取り付けられている。また、ロックプレート６の六角孔６ａ及び切欠６ｂの部分には、ピン２１ａがケース１内に進入したときに、前記当接部材がロックプレート６の表面から突出しないために、当接部材の円形と略同形状の凹部が設けられている。その他、実施の形態１と同様の部分については同符号を付し、説明を省略する。
【００３２】
以上の如き構成により、例えば、盗難防止対象物が表面に凹凸を有する形状である場合であっても、ピン２１ａの先端部分が盗難防止対象物の凹部に進入せず、盗難防止対象物の表面に当接部材が当接し、ピン２１ａがケース１内に進入するため、表面が平坦でない盗難防止対象物に対しても使用することができる。
【００３３】
なお、特許請求の範囲の項に図面との対照を便利にするために符号を記すが、該記入により本発明は添付図面の構造に限定されるものではない。
【００３４】
【発明の効果】
以上詳述した如く、第１発明に係る盗難防止タグによる場合は、係合部材を摺動することによってピンの溝部に係合部材を係合させて、突出状態でピンを保持し、ピンが盗難防止タグ内部に挿入されて休止状態の盗難防止タグが作動状態へ移行することを防止するため、専用の収納ケースとは異なる収納ケースに複数の盗難防止タグを収納した場合であっても、ピンが盗難防止タグ内部に挿入されず、従って専用の収納ケースを用意する必要がなく、収納ケースの形状に合わせて盗難防止タグを収納する手間を削減することが可能となる。
【００３５】
また、係合部材をピンの溝部に係合させて、突出状態でピンを保持することにより、盗難防止タグを盗難防止対象物へ取り付ける場合に、係合部材をピンの溝部に係合させた状態の盗難防止タグでは、盗難防止対象物に盗難防止タグの取り付け面が密着しないため、ユーザが係合部材を溝部に係合させた状態の盗難防止タグと係合部材を溝部に係合させていない状態の盗難防止タグとを容易に判別することができ、係合部材と溝部との係合の解除を忘れることを防止することが可能となる。
【００３６】
第２発明に係る盗難防止タグによる場合は、係合部材の両側部が鍔部に係合する状態で、係合部材を凹部に摺動可能に取り付けていることにより、凹部の開口側から係合部材が脱落することを防止しつつ、鍔部に沿って係合部材を摺動させることができる。ピンがケースの孔及び係合部材の孔を貫通する状態とすることによって、ピンをケースに入出可能な状態とすることができ、この状態から係合部材を摺動させ、ピンの溝部と係合部材の切欠とを係合させたときには、盗難防止タグの盗難防止対象物に当接する面からピンが所定量突出した状態を保持することができる等本発明は優れた効果を奏する。
【図面の簡単な説明】
【図１】本発明に係る盗難防止タグの実施の形態１の構成を示す外観斜視図である。
【図２】本発明に係る盗難防止タグの分解斜視図である。
【図３】プッシュスイッチの構成を示す断面図である。
【図４】プッシュスイッチの動作を説明する断面図である。
【図５】ロックプレートの操作を説明する正面図である。
【図６】ロックプレートの操作を説明する断面図である。
【図７】本発明に係る盗難防止タグの実施の形態２の構成を示す外観斜視図である。
【図８】従来の自鳴式の盗難防止タグの使用状態を説明する説明図である。
【図９】従来の自鳴式の盗難防止タグの使用状態を説明する説明図である。
【符号の説明】
１  ケース
２  正面側ケース部材
２ａ  六角孔
２ｂ  凹部
３  背面側ケース部材
５  ボタン電池
６  ロックプレート
６ａ  六角孔
６ｂ  切欠
１０  基板
１３  ブザー
２０  プッシュスイッチ
２１  スイッチボタン
２１ａ  ピン
２１ｂ  溝部
２２  スイッチ金具
２３  コイルバネ
【図１】
0004473417.tif 000002
【図２】
0004473417.tif 000003
【図３】
0004473417.tif 000004
【図４】
0004473417.tif 000005
【図５】
0004473417.tif 000006
【図６】
0004473417.tif 000007
【図７】
0004473417.tif 000008
【図８】
0004473417.tif 000009
【図９】
0004473417.tif 000010